(57)【要約】【課題】本体を浴室の壁面に設置する際に窓枠の出っ張り等の遮蔽物があっても床面まで温風が届かすことができることを目的とする。【解決手段】浴室壁面１７に取付けられ循環ユニット５を浴室壁面１７に固定する取付け板とで構成される循環部２に、取付け板６の循環ユニット５を取付ける取付け部を前後に可動させるという構成にしたことにより、施工時に循環ユニット５と浴室壁面１７との距離を調節し、窓枠の出っ張り等の遮蔽物３４に気流が当たらないように設置を行うので、本体を浴室の壁面に設置する際に窓枠の出っ張り等の遮蔽物３４があっても床面まで温風が届かすことができる浴室空気調和機を得られる。【選択図】図４
2013167407.tif 000002
【特許請求の範囲】
【請求項１】
フロントパネルの上面あるいは側面に吸込み口および下面に吹出し口とを設け、浴室内の空気を吸込むためのファンとモーターを吸込み口の下流側に設け、前記浴室内に循環させる循環風路を設けた循環ユニットと、前記浴室の壁面に取付けられ前記循環ユニットを前記浴室の壁面に固定する取付け板とで構成される本体に、前記取付け板の厚みを前後に変更できることを特徴とする浴室空気調和機。
【請求項２】
吹出し口に循環気流の風向変更する可動フラップを設け、循環ユニットを浴室の壁面に設置後、前記可動フラップのスイング運転の可動範囲の最下端の位置を前記浴室の窓枠の出っ張り等の遮蔽物に当たらないような位置に調節できることを特徴とする請求項１に記載の浴室空気調和機。
【発明の詳細な説明】
【技術分野】
【０００１】
本発明は、浴室の内壁面に取付ける壁掛け型の浴室空気調和機に関するものである。
【背景技術】
【０００２】
従来より、壁掛け型の浴室空気調和機の設置作業は、循環ユニット取付け用の取付け板を壁面に固定してから、循環ユニットを取付け板に固定するという方法が一般的であり、施工後に美観を向上させるために、取付け板と循環ユニットの位置関係をフレキシブル化することで、施工性を向上させている（例えば、特許文献１参照）。
【０００３】
以下、その空調機について、図８を参照しながら説明する。
【０００４】
図に示すように、空調機本体は浴室壁面１０１を隔てて循環部１０２と換気部１０３とで構成されている。さらに循環部１０２は循環ユニット１０４と取付け板１０５とで構成されている。取付け板１０５の上部には循環ユニット引掛け部１０６と、取付け板の下部には循環ユニット１０６と取付け板１０５との両者を固定する固定用穴１０７がある。特許文献１によると、取付け板の引掛け部１０６と循環ユニットの引掛け部１０８との間にゴムなどの弾性部材１０９を挟むことで、循環ユニット１０４と浴室壁面１０１との隙間を微調整したり、また取付け板下部の循環ユニット１０４の固定用穴１０７を長穴にすることによって、循環ユニット１０４と浴室壁面１０１との隙間を微調整し、施工のばらつきによる外観不良を改善することは可能であった。しかし、循環ユニット下部に浴室壁面から窓枠の出っ張り等の遮蔽物があった場合、温風が遮られ床面まで届かなくなるといった課題があった。
【先行技術文献】
【特許文献】
【０００５】
【特許文献１】特開２００４−３２５０６０号公報（段落００３８〜００４２）
【発明の概要】
【発明が解決しようとする課題】
【０００６】
このような従来の浴室空気調和機においては、壁掛け型の浴室空気調和機の本体を浴室の壁面に設置する際に、窓枠の出っ張り等の遮蔽物によって本体の下方からの気流が遮られ床面まで温風が届かなくなる、という課題を有していた。
【０００７】
そこで本発明は、上記従来の課題を解決するものであり、本体を浴室の壁面に設置する際に窓枠の出っ張り等の遮蔽物があっても床面まで温風が届かすことができる浴室空気調和機を提供することを目的とする。
【課題を解決するための手段】
【０００８】
そして、この目的を達成するために、本発明は、フロントパネルの上面あるいは側面に吸込み口および下面に吹出し口を設け、浴室内の空気を吸込むためのファンとモーターとを吸込み口の下流側に設け、前記浴室内に循環させる循環風路を設けた循環ユニットと、前記浴室の壁面に取付けられ前記循環ユニットを前記浴室の壁面に固定する取付け板とで構成される本体に、前記取付け板の厚みを変更できることとしたものであり、これにより所期の目的を達成するものである。
【発明の効果】
【０００９】
本発明によれば、フロントパネルの上面あるいは側面に吸込み口および下面に吹出し口とを設け、浴室内の空気を吸込むためのファンとモーターを吸込み口の下流側に設け、前記浴室内に循環させる循環風路を設けた循環ユニットと、前記浴室の壁面に取付けられ前記循環ユニットを前記浴室の壁面に固定する取付け板とで構成される本体に、前記取付け板の厚みを変更できるという構成にしたことにより、施工時に本体と浴室の壁面との距離を調節し、窓枠の出っ張り等の遮蔽物に気流が当たらないように設置を行うこととなるので、本体を浴室の壁面に設置する際に窓枠の出っ張り等の遮蔽物があっても床面まで温風が届かすことができる、という効果を得ることができる。
【図面の簡単な説明】
【００１０】
【図１】本発明の実施の形態１の浴室空気調和機の全体構成の状態を示す側面図
【図２】同浴室空気調和機を浴室壁面に取付けた状態の断面を示す図
【図３】同浴室空気調和機の取付け板の状態を示す図
【図４】同浴室空気調和機の循環ユニットと浴室壁面との距離を最も狭めた状態を示す側面図
【図５】同浴室空気調和機の循環ユニットと浴室壁面との距離を最も広げた状態を示す図
【図６】本発明の実施の形態２の浴室空気調和機の全体構成の状態を示す図
【図７】同浴室空気調和機の風向ルーバーが本体制御部の不揮性メモリにあらかじめ記憶されている角度の状態を変化を示す図
【図８】従来の浴室空気調和機の取付け状態を示す図
【発明を実施するための形態】
【００１１】
本発明の請求項１記載の浴室空気調和機は、フロントパネルの上面あるいは側面に吸込み口および下面に吹出し口とを設け、浴室内の空気を吸込むためのファンとモーターを吸込み口の下流側に設け、前記浴室内に循環させる循環風路を設けた循環ユニットと、前記浴室の壁面に取付けられ前記循環ユニットを前記浴室の壁面に固定する取付け板とで構成される本体に、前記取付け板の厚みを変更できる、という構成を有する。これにより、施工時に本体と浴室の壁面との距離を調節し、窓枠の出っ張り等の遮蔽物に気流が当たらないように設置を行うこととなるので、本体を浴室の壁面に設置する際に窓枠の出っ張り等の遮蔽物があっても床面まで温風が届かすことができる、という効果を奏する。
【００１２】
また、吹出し口に循環気流の風向変更する可動フラップを設け、循環ユニットを浴室の壁面に設置後、前記可動フラップのスイング運転の可動範囲の最下端の位置を前記浴室の窓枠の出っ張り等の遮蔽物に当たらないような位置に調節できる、という構成にしてもよい。これにより、使用者が入浴中に窓枠の出っ張り等に気流が当たらないような風向へ変更することとなるので、使用者が入浴中に調整して、本体を浴室の壁面に設置する際に窓枠の出っ張り等の遮蔽物があっても床面まで温風が届かすことができる、という効果を奏する。
【００１３】
（実施の形態１）
図１は、本発明による壁取付け型の浴室空気調和機の全体構成を示す図であり、図２は図１の浴室空気調和機を浴室に取付けた状態を示す断面図である。
【００１４】
図１および図２において、浴室空気調和機１は、浴室３５内に設置される循環部２と、浴室３５の屋外３６に設置される換気部３と、循環部２と換気部３とを浴室３５の壁内で連結されるダクト４にて構成される。
【００１５】
なお、換気部３を省略して循環部２の単体を浴室３５内に設置することで、暖房機として使用することも可能である。
【００１６】
循環部２は、循環ユニット５と取付け板６とで構成される。
【００１７】
循環ユニット５はフロントパネル７に、上方に循環吸込み口８と下方に循環吹出し口９とを設け、浴室３５内の空気を循環吸込み口８より下方に設置している循環ファン１０と循環ファン１０を駆動させる循環モーター１１を用いて矢印ａのように上方から吸込み、循環吹出し口９より浴室３５内へ送風し、浴室３５内の空気を循環させ、また、浴室３５の暖房をおこなう場合は、循環ファン１０と循環吹出し口９との間に設けた熱源ヒータ１２により加熱し温風として、循環吹出し口９より浴室内に再び吹出させ、浴室内の寒さを緩和することができる。
【００１８】
なお、熱源ヒータ１２は、ＰＴＣヒータ、輻射ヒータ、シーズヒータ等があるが、好ましくはＰＴＣヒータが良く、安全性に優れるからである。
【００１９】
そして、浴室３５から吸込んだ空気を屋外３６へ排気する場合、いわゆる換気（排気）をおこなう場合は、換気部３にダクト４に接続される換気吸込み口１３と側面に排気口１４を設け（この実施の形態では片方に設けている）、換気ファン１５と換気ファン１５を駆動する換気モーター１６を用いて矢印ｂのような取付け板６の側面からダクト４を介して浴室３５から吸込んだ空気を換気部３へ搬送し屋外３６に排気を行う。
【００２０】
また、浴室３５から吸込んだ空気を屋外３６へ排気しながら循環も同時におこなう場合、いわゆる乾燥、涼風をおこなう場合は、循環モーター１１および換気モーター１６の両方を駆動させる。
【００２１】
また、乾燥をおこなう場合は、循環ユニット５内の熱源ヒータ１２により加熱し温風として循環吹出し口９より浴室３５内に吹出しながら、換気部３より浴室３５内の空気を屋外３６へ排出する。
【００２２】
また、涼風を行う場合は、熱源ヒータ１２を停止させ、その他の動作は乾燥を行う場合と同様にする。
【００２３】
浴室空気調和機１の浴室壁面１７への固定は、取付け板６を浴室壁面１７へねじ等で取付けてから行う。
【００２４】
図３に示すように、取付け板６を浴室壁面１７へ取付ける取付け板Ａ１８と、循環ユニット側へ取付ける取付け板Ｂ１９とで２つの部品に分割し（従来は１つの部品）、取付け板Ａ１８と取付け板Ｂ１９とにそれぞれ両者を連通させる開口の違う取付け板Ａの角型ダクト部２０、２１を開口が重なりあって設け、取付け板Ａの角型ダクト部２０は取付け板Ｂの角型ダクト部２１より内寸（開口）を小さくし、両ダクト部が重なり合う構造としているため、取付け板Ｂ１９は壁面から手前の方向へスライドすることができる。
【００２５】
図４に示すように、取付け板Ａの角型ダクト部２０と取付け板Ｂの角型ダクト部２１の重なりしろ（重なった部分）を大きくすることで、循環ユニット５と浴室壁面１７との距離Ｘを狭める、つまり、最小の距離にすることができる。
【００２６】
また、図５に示すように、取付け板Ａの角型ダクト部２０と取付け板Ｂの角型ダクト部２１の重なりしろを小さくすることで、循環ユニット５と浴室壁面１７との距離Ｘを広げることができる。
【００２７】
また、図３に示すように、取付け板Ａ１８と取付け板Ｂ１９との固定は、例えば取付け板Ｂの角型ダクト部２１の側面２２に、浴室壁面１７から手前方向つまり取付ける方向に長穴２３を両側面に設ける。取付け板Ａの角型ダクト部２０の側面２４にはねじ固定用の穴２５を設け、取付け板Ａ１８と取付け板Ｂ１９の両者を固定するねじをそれぞれ２６とする。
【００２８】
施工者は、取付け板６を浴室壁面１７へ取付けた後、循環ユニット５を取付け板６へ取付け、取付け板Ａ１８と取付け板Ｂ１９とを固定するねじ２６を緩めることによって、取付け板Ｂ１９を浴室壁面１７から手前方向にスライドさせ、循環ユニット５と浴室壁面１７との距離を調節することができる。
【００２９】
なお、取付け板Ｂ１９をスライドさせる機構の長穴２３、ねじ固定用の穴２５、ねじ２６は取付け板Ｂのダクト部の天面２７と底面２８にあっても良い。
【００３０】
（実施の形態２）
実施の形態１と同構成は、同じ符号を付し詳細な説明は省略する。
【００３１】
図６は、循環ユニット５の循環吹出し口９に上下の２枚の板に左右の風向の決める複数の板を設けた風向ルーバー２９を設けており、風向ルーバー２９の駆動は側面に設けたステッピングモーター３０によって行われる。
【００３２】
ステッピングモーター３０は、循環ユニット５内に設けている本体制御部３１から発せられる風向変更の信号によって、風向ルーバー２９の回転角度が指定される。
【００３３】
本体制御部３１には不揮発性メモリ３２が搭載されており、図７に示すように、風向ルーバー２９の停止位置３７からの浴室空気調和機１の下方へ１５°傾けた位置を風向１とし、３０°下方へ傾けた位置を風向２とし、４５°下方へ傾けた位置を風向３とし、６０°下方へ傾けた位置を風向４とし、７５°下方へ傾けた位置を風向５とし、９０°下方へ傾けた位置を風向６とし、あらかじめ６段階に設定された風向ルーバー２９の角度を使用者がワイヤレスリモコン３３（図６記載）の操作によって、暖房・乾燥・涼風運転時において循環吹出し口９からの風向を変更することができる。
【００３４】
さらに、施工者が循環ユニット５を浴室壁面１７に取付けた後に、例えば試運転時に暖房運転にて風向ルーバー２９が９０°（風向６）の角度に設定し、循環ユニット５の下部に窓枠等の出っ張り３４（図２に記載）がある場合、循環吹出し口９からの温風が遮られ浴室３５の床面に温風が到達しない可能性があるが、施工者がワイヤレスリモコン３３（図６に記載）の特殊操作（施工者が操作する専用操作のこと）によって本体制御部３１を施工者設定モードつまり施工者のみが設定できるモードに入れ、風向６の９０°の角度を例えば８５°に変更し、それを本体制御部３１の不揮発性メモリ３２に記憶することにより、風向６は常時８５°の角度とすることで循環吹出し口９からの温風は浴室３５の床面まで到達することができる。
【００３５】
また、前記の施工者設定モードの操作によって、風向ルーバー２９のスイング運転の最下端の位置も変更されるため、例えば乾燥運転時のスイング運転は窓枠等の出っ張り３４に温風を遮られることなく効率よく、衣類や浴室を乾燥することができる。
【００３６】
なお、施工者設定モードによる風向の微調整は、風向１〜６すべてにおいて設定することができる。
【産業上の利用可能性】
【００３７】
本発明にかかる浴室空気調和機は、本体を浴室の壁面に設置する際に窓枠の出っ張り等の遮蔽物があっても床面まで温風が届かせることを可能とするものであるので、浴室壁面に取付けられる機器への機能、制御として有用である。
【符号の説明】
【００３８】
１    浴室空気調和機
２    循環部
３    換気部
４    ダクト
５    循環ユニット
６    取付け板
７    フロントパネル
８    循環吸込み口
９    循環吹出し口
１０  循環ファン
１１  循環モーター
１２  熱源ヒータ
１３  換気吸込み口
１４  排気口
１５  換気ファン
１６  換気モーター
１７  浴室壁面
１８  取付け板Ａ
１９  取付け板Ｂ
２０  取付け板Ａの角型ダクト部
２１  取付け板Ｂの角型ダクト部
２２  側面
２３  長穴
２４  取付け板Ａの角型ダクト部の側面
２５  ねじ固定用の穴
２６  ねじ
２７  取付け板Ｂのダクト部の天面
２８  取付け板Ｂのダクト部の底面
２９  風向ルーバー
３０  ステッピングモーター
３１  本体制御部
３２  不揮発性メモリ
３３  ワイヤレスリモコン
３４  窓枠等の出っ張り
３５  浴室
３６  屋外
３７  風向ルーバーの停止位置
【図１】
2013167407.tif 000003
【図２】
2013167407.tif 000004
【図３】
2013167407.tif 000005
【図４】
2013167407.tif 000006
【図５】
2013167407.tif 000007
【図６】
2013167407.tif 000008
【図７】
2013167407.tif 000009
【図８】
2013167407.tif 000010